(57)【要約】その一端にカートリッジチャンバーを備えた銃身、遊底システム、トリガーとトリガーガードを備えたトリガー装置、点火機構、マガジンおよび照準装置を有する速射銃は、速射銃の重心が、発射方向においてトリガーガードの前方に位置していることを特徴としている。
2004528525.tif 000002
【特許請求の範囲】
【請求項１】
一方の端部にカートリッジチャンバー（４２）を備えた銃身（２８）、遊底システム、トリガー（２０）とトリガーガード（１８）とを備えたトリガー装置（４４）、点火機構（４６）、マガジン（１４）および照準装置を有する速射銃（１０）において、
速射銃（１０）の重心が、発射方向においてトリガーガード（１８）より前方に位置していることを特徴とする速射銃。
【請求項２】
銃把（３４）が、銃身（２８）と遊底システムの支持体として設けられており、銃身（２８）は発射方向においてカートリッジチャンバー（４２）より前方で銃把（３４）と取り外し可能に結合されていることを特徴とする請求項１に記載の速射銃（１０）。
【請求項３】
銃身（２８）は、発射方向において銃身（２８）の長さの中央より前方では銃把（３４）と取り外し可能に結合されていないことを特徴とする請求項２に記載の速射銃（１０）。
【請求項４】
銃身（２８）は、多角断面状の締付け部材によって銃把（３４）と結合されていることを特徴とする請求項２または３に記載の速射銃（１０）。
【請求項５】
銃身（２８）は、円筒断面状の締付け部材によって銃把（３４）と結合されていることを特徴とする請求項２または３に記載の速射銃（１０）。
【請求項６】
銃身（２８）は、ネジによって銃把（３４）と結合されていることを特徴とする請求項２または３に記載の速射銃（１０）。
【請求項７】
照準装置のためのマウント（３０）は、銃身（２８）と銃把（３４）の結合領域において、銃身（２８）上に取り外し可能に取付けられることを特徴とする請求項１から６のいずれか１項に記載の速射銃（１０）。
【請求項８】
トリガー（２０）を有するトリガー装置（４４）は、発射方向においてマガジン（１４）より前方に配置されていることを特徴とする請求項１から７のいずれか１項に記載の速射銃（１０）。
【請求項９】
トリガー（２０）は、係止無しのトグルレバー型トリガーとして形成されており、かつトリガー装置（４４）は、トグルレバー型トリガーから空間的に分離され、発射方向においてその後方に配置されているトリガー突起（５８）を有しており、該トリガー突起（５８）は引張りロッド（５６）を介してトグルレバー型トリガーと結合されていることを特徴とする請求項１から８のいずれか１項に記載の速射銃（１０）。
【請求項１０】
点火機構（４６）の駆動装置（６４；６８；７０）は、発射方向においてマガジン（１４）より前方に配置されていることを特徴とする請求項１から９のいずれか１項に記載の速射銃（１０）。
【請求項１１】
点火機構（４６）は、係止部材なしの撃鉄（６０）を有していることを特徴とする請求項１０に記載の速射銃（１０）。
【請求項１２】
点火機構（４６）は、打撃ばね（６８）を有しており、前記打撃ばねが引張りばねとして形成されていることを特徴とする請求項１０または１１に記載の速射銃（１０）。
【請求項１３】
点火機構（４６）は、保持係止部（６６）を備えた溝付きブロック（６４）、任意の長さの引張りロッド（７４）およびテンションレバー（１７）を有しており、
トリガー装置（４４）と点火機構（４６）は、
打撃ばね（６８）の力が打撃ばね（６８）の後方の溝付きブロック（６４）と結合されたトリガー突起（５８）によって引張り状態に保持され、打撃ばね（６８）が引張りロッド（７４）を介して撃鉄（６０）を駆動し、撃鉄（６０）は反復プロセスにおいて打撃位置へ移動されて、溝付きブロック（６４）に設けられた保持係止部（６６）内へ嵌入するトリガー突起（５８）によって打撃位置に保持されるように、形成されており、
打撃ばね（６８）はテンションレバー（１７）によって手動で引張りおよび弛緩させることが可能であることを特徴とする請求項１２に記載の速射銃（１０）。
【請求項１４】
遊底システムは、ストレート遊底を有していることを特徴とする請求項１から１３のいずれか１項に記載の速射銃（１０）。
【請求項１５】
遊底桿（２２）を有し、ストレート遊底は、遊底桿（２２）に設けられたグリップ（２４）によって操作可能であることを特徴とする請求項１４に記載の速射銃（１０）。
【請求項１６】
ストレート遊底は、発射方向の左または右に取り付け可能なレバー（２６）によって操作可能であることを特徴とする請求項１４または１５に記載の速射銃（１０）。
【発明の詳細な説明】
【技術分野】
【０００１】
本発明は、その一端にカートリッジチャンバーを備えた銃身、遊底システム、トリガーとトリガーガードを備えたトリガー装置、点火機構、マガジンおよび照準装置を有する速射銃に関する。
【背景技術】
【０００２】
ブルパップとも称される、この種の速射銃においては、できるだけ短くて滑りの良い兵器を得るために、遊底システムとマガジンを有する銃身はクラシックな連発銃に比較して尾床へ向けてさらに後方へ移動されている。しかしこれは、必然的に質量とそれに伴う重心の後方への移動と、それに伴って、この種の速射銃が射撃技術的かつ取扱いにおいてクラシックな連発銃よりもずっと好ましくない、という欠点ももたらす。
【発明の開示】
【発明が解決しようとする課題】
【０００３】
従って本発明の課題は、これらの欠点が全く生じない、少なくとも減少される、速射銃を提供することである。
【課題を解決するための手段】
【０００４】
この課題は、本発明によれば、この分野の速射銃において、速射銃の重心が発射方向においてトリガーガードより前方にあるようにすることによって解決される。このことは、主要な構造エレメントが、それらの質量が銃口へ向かってずっと前へ移動されるように形成されていることにより達成される。
【０００５】
本発明の好ましい実施形態によれば、銃把は、銃身と遊底システムのための支持体として設けられており、かつ銃身は発射方向においてカートリッジチャンバーより前方で銃把と取り外し可能に結合されているようにすることができる。銃把が遊底桿から独立しており、また、銃身が、従来のようにカートリッジチャンバーの後方に位置する遊底システムと直接的に結合されておらず、銃把と結合されていることによって、速射銃の重心を前方へ移動させることだけでなく、銃身振動の減少による射撃能力の向上と、簡単な銃身交換を得ることができる。
【０００６】
好ましくは、銃身は発射方向において銃身の長さの中心より前方においては銃把と結合されていない。
【０００７】
好ましくは、銃身は多角形状の締付け結合によって銃把と結合されている。
【０００８】
選択的に、銃身が円筒状の締付け結合によって銃把と結合されるようにすることができる。
【０００９】
選択的に、銃身がボルト結合によって銃把と結合されるようにすることもできる。
【００１０】
本発明の他の好ましい実施形態によれば、照準装置のためのマウントは、銃身と銃把との結合の領域において銃身上に固定可能である。ここでは照準装置は、たとえば照準装置または発光点照準である。この種の形状によって、速射銃の重心はさらに前方へ移動され、かつ簡単な銃身交換が可能とされ、付属の照準装置と共に銃身を交換する場合には、着弾点の位置は変化しない。
【００１１】
好ましくは、トリガーを有するトリガー装置は、発射方向においてマガジンの前方に配置されている。それによって速射銃の重心の単一または付加的な移動が達成される。その場合にマガジン自体は、機能上の要求から銃身のカートリッジチャンバーよりも後方に配置されなければならない。
【００１２】
特に、トリガーは係止なしのトグルレバー型トリガーとして形成されており、トリガー装置は、トグルレバー型トリガーから空間的に分離された、発射方向においてその後方に配置されているトリガー突起を有しており、そのトリガー突起は引張りロッドを介してトグルレバー型トリガーと結合されているようにすることができる。
【００１３】
本発明の他の好ましい実施形態によれば、点火機構の駆動装置が発射方向においてマガジンの前方に配置されるようにすることができる。それによって点火機構の「修正」が達成され、それによって速射銃の重心の単一または付加的な移動がもたらされる。
【００１４】
特に、点火機構が係止部材なしの撃鉄を有するようにすることができる。
【００１５】
好ましくは、点火機構は打撃ばねを有しており、その打撃ばねは引張りばねとして形成されている。引張りばねの使用は、摩擦が少なく、それによって、より安全な点火においてばね力が小さく、従って摩耗がわずかで、操作力がより小さいことを意味している。
【００１６】
本発明の他の好ましい実施形態によれば、点火機構が保持係止部を備えた溝付きブロック、任意の長さの引張りロッドおよびテンションレバーを有するようにすることができ、トリガー装置と点火機構は、打撃ばねの力は引き絞られた状態において打撃ばねの後方の溝付きブロックと結合されたトリガー突起によって保持され、かつ打撃ばねは引張りロッドを介して撃鉄を駆動し、撃鉄は反復プロセスにおいては打撃位置へ移動されて、溝付きブロックに形成された保持係止部内へ嵌入するトリガー突起によって打撃位置に保持されるように、形成されており、打撃ばねはテンションレバーによって手動で引張りおよび弛緩可能である。その場合に打撃ばねは、撃鉄への結合部材であって、撃鉄の代わりに溝付きブロックが係止部材の機能を引き受ける。
【００１７】
好ましくは、遊底システムは、ストレート遊底を有している。
【００１８】
特に、遊底桿を設け、ストレート遊底を、遊底桿に設けたグリップによって操作可能とすることができる。
【００１９】
そして、ストレート遊底が、発射方向において左または右に取り付け可能なレバーによって操作可能であるようにすることができる。
【００２０】
本発明は、速射銃の重心を発射方向においてトリガーガードの前方へ移動させることによって、後部に荷重がかかることが防止され、かつほぼ変わらない重量と短い寸法において極めて均整のとれたバランスが達成されるという知見にもとづいている。
【００２１】
本発明の他の特徴と利点は、請求項と以下の説明から明らかにされ、その説明においては図面を用いて実施例が詳細に説明されている。
【００２２】
図１は、速射銃１０の側面図を示している。速射銃は、６５０ｍｍの銃身の長さに対して、わずか８８０ｍｍの銃全長と３．４ｋｇ未満の重量（照準装置なしで）を有しており、発射方向においてトリガーガードの前方に重心があることにより取扱いが容易である。速射銃１０は、床尾１２、マガジン１４、ピストルグリップ１６、トリガーガード１８、トリガー２０、グリップ２４を備えた遊底桿２２、右ないし左に取り付け可能なレバー２６および銃身２８を有しており、その銃身２８の上にマウント３０と照準装置３２が配置されている。グリップ２４の移動（発射方向（閉鎖）に、および発射方向に抗して（開放））によって、ないしはレバー２６によって連続発射される。そのために銃は、ストレート遊底を有している。大きな矢印Ｐで示すように、速射銃１０の重心は、発射方向においてトリガーガード１８の前方に位置している。
【００２３】
図２は、図１の速射銃１０の銃把３４の側面図を示している。銃把３４は、重量の理由からアルミニウムまたはプラスチックからなり、かつ遊底システム、マウント３０および照準装置３２を有する銃身２８の支持体として用いられる。銃身２８は、その後方の端部に栓３６を有している。
【００２４】
図３は、図２のIII−III線に沿った断面を示している。図から明らかなように、銃身２８は締付けボルト３８によって銃把３４上に固定されている。マウント３０も、ナット４０と組み合わされた締付けレバー４１によって銃身２８上に固定されている。
【００２５】
図４は、図１の速射銃の部分を、IV−IV線に沿った断面図と共に分解して示している。図から明らかなように、銃身２８は角柱形状の締付け部材によって銃把３４と結合されている。これは、マウント３０と銃身２８の間の結合についても言えることである。さらに、図から明らかなように、銃身２８の後方の端部にカートリッジチャンバー４２と銃身２８の栓３６が設けられている。
【００２６】
図５は、図１の速射銃のトリガー装置４４と点火機構４６を示している。ピストルグリップ１６内に軸承されているテンションレバー１７は、以下でさらに説明するように、点火機構を引張り、ないしは弛緩させるために用いられる。トリガー装置４４と点火機構４６は、発射方向においてマガジン１４の前方に配置されている。
【００２７】
トリガー装置４４は、係止無しのトグルレバー型トリガーとして形成されているトリガー２０、トリガーばね４８、ロッキングレバー５０、チェーン５２、押圧ばね５４、引張りロッド５６およびトリガー突起５８を有している（図６を参照）。トリガー突起５８は、トグルレバー型トリガーから空間的に分離されており、発射方向においてその後方に配置されている。引張りロッド５６によって、トリガー突起５８とトグルレバー型トリガーのロッキングレバー５０が結合されている。図６には、点火機構４６の付加的な構成要素、すなわち撃鉄６０、撃針６２および溝付きブロック６４が示されている。図６の上方に示されている、発射準備のできた状態において、トリガー突起５８は、溝付きブロック６４の保持係止部６６内へ嵌入する。図６の下方に示す、発射された状態においては、トリガー突起５８はもはや溝付きブロック６４の保持係止部６６内へは嵌入せず、撃鉄６０はもはや引き絞られていない。
【００２８】
図７は、図５の点火機構４６の詳細を、発射準備の整った状態（上）、安全な状態（中央）および発射された状態（下）で示している。点火機構４６は、すでに上で挙げた構成要素の他に、打撃ばね６８、テンションスライダ７０およびローラ７２を有しており、テンションスライダ７０は原理的に打撃ばね６８のためのハウジングとして用いられ、かつ溝付きブロック６４と面一で取り付けられている。打撃ばね６８は、引張りばねとして、従って摩擦なしで形成されており、撃鉄６０と溝付きブロック６４との間の結合部材（引張りロッド７４を介して）として用いられる。
【００２９】
発射準備のできた状態において、打撃ばね６８と撃鉄６０は引き絞られる。安全な状態においては、撃鉄６０は引き絞られ、打撃ばね６８は弛緩している。発射された状態においては、撃鉄６０と打撃ばね６８は弛緩している。これは、トリガー装置４４と点火機構４６が、引き絞られた状態においては打撃ばね６８の力は打撃ばね６８の後方において溝付きブロック６４と結合されたトリガー突起５８によって保持され、打撃ばね６８は引張りロッド７４を介して撃鉄６０を駆動し、かつ反復プロセスにおいては撃鉄６０は打撃位置へ移動されて、溝付きブロック６４に設けられた保持係止部６６内へ嵌入したトリガー突起５８によって打撃位置に保持されるように、形成されていることによって得られ、打撃ばね６８はテンションレバーによって手動で引張りおよび弛緩可能である。
【００３０】
上記の説明、図面および請求項に開示されている本発明の特徴は、単独でも、任意の組合せにおいても、本発明をその種々の実施形態において実現するための本質をなすことができる。
【図面の簡単な説明】
【００３１】
【図１】本発明の特別な実施形態に基づく速射銃の側面図である。
【図２】図１の速射銃の、銃身、マウントおよび照準装置を備えた銃把の側面図である。
【図３】図２のIII−III線に沿った断面図である。
【図４】図１の速射銃の部分を、IV−IVに沿った断面と共に示す分解図である。
【図５】図１の速射銃のトリガー装置と点火機構を示している。
【図６】図５のトリガー装置の詳細を、発射準備ができた状態と発射された状態において示している。
【図７】図５の点火機構を、発射準備ができた状態、装填されて安全な状態および発射された状態において示している。
【符号の説明】
【００３２】
１０…速射銃
１２…床尾
１４…マガジン
１６…ピストルグリップ
１７…テンションレバー
１８…トリガーガード
２０…トリガー
２２…遊底桿
２４…グリップ
２６…レバー
２８…銃身
３０…マウント
３２…照準装置
３４…銃把
３６…栓
３８…締付けボルト
４０…ナット
４１…締付けレバー
４２…カートリッジチャンバー
４４…トリガー装置
４６…点火機構
４８…トリガーばね
５０…ロッキングレバー
５２…チェーン
５４…押圧ばね
５６…引張りロッド
５８…トリガー突起
６０…撃鉄
６２…撃針
６４…溝付きブロック
６６…保持係止部
６８…打撃ばね
７０…テンションスライダ
７２…ローラ
７４…引張りロッド
【国際公開パンフレット】
2004528525.tif 000003
2004528525.tif 000004
2004528525.tif 000005
2004528525.tif 000006
2004528525.tif 000007
2004528525.tif 000008
2004528525.tif 000009
2004528525.tif 000010
2004528525.tif 000011
2004528525.tif 000012
2004528525.tif 000013
2004528525.tif 000014
2004528525.tif 000015
2004528525.tif 000016
2004528525.tif 000017
2004528525.tif 000018
2004528525.tif 000019
2004528525.tif 000020
2004528525.tif 000021
2004528525.tif 000022
【国際調査報告】
2004528525.tif 000023
2004528525.tif 000024
2004528525.tif 000025
2004528525.tif 000026
2004528525.tif 000027
2004528525.tif 000028